【事件の表示】
　特許第３１４４８２２号「記録用シートおよび記録物」の請求項１ないし３に係る特許に対する特許異議の申立てについて、次のとおり決定する。
【結　論】
　訂正を認める。
　特許第３１４４８２２号の請求項１ないし３に係る特許を維持する。
【理　由】
Ｉ．手続の経緯
　本件特許第３１４４８２２号の請求項１ないし３に係る発明は、平成３年４月５日に出願され、平成１３年１月５日にその設定登録がなされ、その後、東谷満より特許異議の申し立てがなされ、平成１４年１月２３日付けで取消理由通知がなされ、その指定期間内である平成１４年４月５日に訂正請求がなされたものである。
　
II．訂正の適否についての判断
１．訂正の内容
訂正事項ａ
　特許請求の範囲の請求項１中の、「基材上に」及び「バインダー」との記載を、それぞれ、「プラスチック基材上に」及び「ポリビニルアルコールからなるバインダー」と訂正する。
　
訂正事項ｂ
　明細書の段落番号０００６中の、「基材上に」及び「バインダー」との記載を、それぞれ、「プラスチック基材上に」及び「ポリビニルアルコールからなるバインダー」と訂正する。
　
訂正事項ｃ
　明細書の段落番号００１２中の、「バインダーとしては、でんぷんやその変性物、ポリビニルアルコールおよびその変性物、ＳＢＲラテックス、ＮＢＲラテックス、カルボキシメチルセルロース、ヒドロキシメチルセルロース、ポリビニルピロリドン等の有機物を用いることができる。バインダーの使用量は、」との記載を、「バインダーとしては、ポリビニルアルコールを用いることができる。ポリビニルアルコールの使用量は、」と訂正する。
　
訂正事項ｄ
　明細書の段落番号００１３中の、「本発明において、基材としては特に限定されず、種々のものを使用することができる。具体的には、ポリエチレンテレフタレート、ポリエステルジアセテート等のポリエステル系樹脂、ポリカーボネート系樹脂、ＥＴＦＥ等のフッ素系樹脂など種々のプラスチックあるいは紙類を好ましく使用することができる。」との記載を、「本発明において、プラスチック基材としては特に限定されず、種々のものを使用することができる。具体的には、ポリエチレンテレフタレート、ポリエステルジアセテート等のポリエステル系樹脂、ポリカーボネート系樹脂、ＥＴＦＥ等のフッ素系樹脂など種々のプラスチックを好ましく使用することができる。」と訂正する。
　
２．訂正の目的の適否、新規事項の追加の有無、及び特許請求の範囲の拡張または変更の存否
（１）訂正事項(ａ)について
　訂正事項(ａ)は、基材をプラスチック基材に、及びバインダーをポリビニルアルコールからなるバインダーに、それぞれ特許請求の範囲において特定するものであるから、訂正事項(ａ)は、特許請求の範囲の減縮を目的とする訂正に該当する。
　そして、基材については、本件明細書の段落番号０００４に、本件発明は、基材にプラスチックシートを使用したときに発生する問題点を解決するためのものである旨の記載、及び段落番号００２０に、基材としてポリエチレンテレフタレートからなるシートを用いた実施例の記載により支持されている。また、バインダーについては、段落番号００２０に、バインダーとしてポリビニルアルコールを用いた実施例の記載により支持されている。
　したがって、訂正事項(ａ)は、願書に添付された明細書に記載された事項の範囲内の訂正であって、新規事項の追加には該当しないし、特許請求の範囲を拡張あるいは変更するものでもない。
　
（２）訂正事項(ｂ)〜(ｄ)について
　訂正事項(ｂ)〜(ｄ)は、上記特許請求の範囲の訂正に伴って生じた、特許請求の範囲と発明の詳細な説明中の記載の不整合部分を整合させる訂正であるから、明りょうでない記載の釈明を目的とする訂正に該当するものであり、また、これらの訂正は、（１）訂正事項(ａ)について、の項で述べたのと同じ理由により、新規事項の追加には該当しないし、特許請求の範囲を拡張あるいは変更するものでもない。
　
３．むすび
　以上のとおりであるから、上記訂正請求は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
III．本件特許発明
　上述のとおり、本件明細書の訂正請求は認められるから、本件特許発明は、訂正請求書に添付された全文訂正明細書の特許請求の範囲の請求項１ないし３に記載された次のとおりのものである。
「【請求項１】　プラスチック基材上に色素吸着層を設けた記録用シートにおいて、基材の色素の吸着層を設けた面の反対側に、多孔性アルミナ水和物層を設け、かつ、前記多孔性アルミナ水和物層には、アルミナ水和物に対してポリビニルアルコールからなるバインダーが５〜50重量％含有される記録用シート。
　【請求項２】　色素吸着層が多孔性アルミナ水和物である、請求項１記載の記録用シート。
　【請求項３】　請求項１または請求項２記載の記録用シートの、色素吸着層に、色素が吸着された記録物。」
　
IＶ．特許異議の申立て理由の概要
　特許異議申立人　東谷満は、証拠として、
甲第１号証（特開平１−２９９８３９号公報）、
甲第２号証（ヨーロッパ特許公開第０４０７７２０号）、
甲第３号証（甲第２号証の翻訳）、
甲第４号証（特開昭５４−４２３９９号公報）及び
甲第５号証（本件の公開公報である、特開平４−３０８７８６号公報）
を提示し、次の理由１〜３により、本件発明１〜３に係る特許は、特許法第１１３条第２号ないし第４号の規定により取り消されるべきものである旨主張している。
理由１：本件請求項１ないし３に係る発明（以下、「本件発明１〜３」という。）は、出願人が行った補正が発明の要旨を変更するものであって、出願日が平成１１年１２月１０日と認められるから、甲第５号証に記載された発明であり、当該発明に係る特許は、特許法第２９条第１項第３号の規定に違反してされたものである。
理由２−１：本件発明１〜３は、出願人が行った補正が発明の要旨を変更するものであって、出願日が平成１１年１２月１０日と認められるから、その発明の属する技術の分野における通常の知識を有する者が、甲第５号証に記載された発明に基づいて容易に発明をすることができたものであり、特許法第２９条第２項の規定に違反してされたものである。
理由２−２：本件発明１〜３は、その発明の属する技術の分野における通常の知識を有する者が、甲第１、２、４号証に記載された発明に基づいて容易に発明をすることができたものであるから、特許法第２９条第２項の規定により特許を受けることができない。
理由３：本件明細書の記載が不備であり、特許法第３６条第５項及び第６号に規定される要件を満たしていない。
　
Ｖ．甲号各証に記載された事項
１．甲第１号証には、以下の事項が記載されている。
（1a）「１．プラスチックフィルムの基材面に、無機コロイダル粒子を有する多孔性無機有機複合層が形成され、印字および印刷適性に優れていることを特徴とする表面処理プラスチックフィルム。」（特許請求の範囲第１項）
（1b）「３．無機コロイダル粒子が、コロイダルシリカ、アルミナゾル、リチウムシリケートゾル、アンチモンゾルおよびフェライトゾルから選ばれる請求項１または２記載の表面処理プラスチックフィルム。」（特許請求の範囲第３項）
（1c）「その目的とするところは、印字・印刷適性、すなわち、優れた走行性、セット性および、バランスの取れた親水性および親油性を有する印刷印字用プラスチックフィルムを提供することにある。」（第２頁右上欄第５〜８行）
（1d）「この発明において、無機有機複合層の化学的構造は、必ずしも明らかではないが、無機有機複合層の原料モノマーの少なくと１種が、無機有機複合層生成時に無機コロイダル粒子表面の官能基と架橋結合して得られたものである。」（第３頁左上欄末行〜右上欄第４行）
（1e）「無機有機複合層中に含まれるコロイダル粒子の含有量は、コロイダル粒子や有機分の種類などにより適宜変更されるが、コロイダル粒子としてコロイダルシリカを用いた場合、例えば、有機成分１００重量部に対して０．１〜５００重量部、好ましくは１〜２００重量部である。」（第３頁右上欄第９〜１４行）
（1f）「この発明の表面処理プラスチックフィルムは、印字および印刷適性に優れており、具体的には、表面同士が擦れて生じた静電気を容易に逃がすような小さい表面電気抵抗を有し、表面を滑り易くする走行性（小さい摩擦係数）を示し、オフセットインキ中の溶剤、植物油などを吸収して樹脂の増粘を速めるセット性を持ち、オフセット印刷における湿し水および樹脂（油性）に対する濡れを確保する親油性と親水性とのバランスを有する。」（第３頁右上欄第１８行〜左下欄第６行）
（1g）「この発明のフィルムを、プラスチックフィルムの片面、若しくは両面、または、全面もしくは部分面に、コロイダル粒子を配合してなるエマルジョン塗料を被覆して得ることができる。」（第３頁左下欄第１０〜１３行）
（1h）「［作用］・・・・・この発明における表面処理プラスチックフィルムは、フィルム基材面に、無機コロイダル粒子を有する多孔性無機有機複合層が形成されている。この無機有機複合層は、原料モノマーの少なくとも１種が、複合層生成時に無機コロイダル粒子表面の官能基と架橋結合して得られ」（第４頁右上欄第７〜１５行）
（1i）「実施例１・・・・・得られた重合物をプラスチックフィルム（ＰＥＴフィルム）表面に５μｍの厚さに両面コートした。・・・・・実施例３　下記組成（重量部）の原料モノマーおよびアルミナゾルを用いたこと以外、実施例１と同様にして表面処理プラスチックフィルムを製造し、印刷した。２−エチルヘキシルアクリレート　…４０部　　メチルメタクリレート　…６０部　　アクリル酸　…１部　　ビニルメトキシシラン　…０．５部　　アルミナゾル（日産化学(株)製アルミナゾル１００）　…１５部
　その結果、オフセット印刷時の走行性は良く、しかもオフセットインキのセット性および乾燥性が速く、仕上がりの綺麗な印刷物を得た。」（第５頁左上欄第１３行〜右下欄第６行）
　
２．甲第２号証（翻訳である甲第３号証参照）には、以下の事項が記載されている。
（2a）「本発明は記録用シートに関する。特にそれは、水性インキまたは油性インキのいずれでも記録可能であり、種々の印刷方法を適用でき、その上に鮮明な記録が作成できる記録用シートに関する。」（第２頁第１〜３行）
（2b）「高い解像度を提供し、それにより高品質画像を得ることができるオフセット印刷がある。オフセット印刷では、顔料と、不飽和カルボン酸グリセリドなど油脂系ビヒクルとを混練することによって得られるインキが湿し水と共に版胴、ゴム胴、圧胴を経て印刷される。」（第２頁第１８〜２１行）
（2c）「本発明のインキ吸収材としては擬ベーマイトが使用される。ここで、擬ベーマイトはＡｌＯ(ＯＨ)の化学組成を有するコロイド状微粒子の集塊である。」（第３頁第３〜４行）
（2d）「バインダの量が少なすぎると、インキ吸収材層の強度が不適切になる傾向がある。他方、バインダ量が多すぎると、インキの吸収性が損なわれる。したがって、擬ベーマイトの１０重量％ないし５０重量％の量のバインダを使用することが通常好ましい。」（第４頁第６〜８行）
（2e）「１．基材とその上に形成された多孔質のインキ吸収材層とを含む記録用シートであって、前記多孔質のインキ吸収材層が主として擬ベーマイトから形成される記録用シート。」（第１０頁第１５〜１６行）
（2f）「４．前記インキ吸収材層における１０Åないし１００Åの細孔半径を持つ細孔の全容積が０．３ｃｃ／ｇないし１．０ｃｃ／ｇである、請求項１に記載の記録用シート。
５．前記インキ吸収材層の平均細孔半径が１５Åないし３０Åであり、前記平均細孔半径の±１０Åの範囲内の半径を持つ細孔の容積が全細孔容積の少なくとも５５％である、請求項４に記載の記録用シート。
６．前記インキ吸収材層の平均細孔半径が３０Åないし５０Åであり、前記平均細孔半径の±１０Åの範囲内の半径を持つ細孔の容積が全細孔容積の少なくとも４５％である、請求項４に記載の記録用シート。」（第１０頁第２１〜２８行）
　
３．甲第４号証には、以下の事項が記載されている。
（4a）「超微粉水和アルミナ及びその製造方法」（発明の名称）
（4b）「本発明の超微粉アルミナを、各種の紙の抄紙時に填剤として配合し、或いはコート層として施こすと、帯電防止性を賦与することができた。」（第６頁左下欄第１４〜１６行）
　
４．甲第５号証には、以下の事項が記載されている。
（5a）「【請求項１】　基材上に色素吸着層を設けた記録用シートにおいて、基材の色素の吸着層を設けた面の反対側に、多孔性アルミナ水和物層を設けた記録用シート。」（特許請求の範囲の請求項１）
（5b）「基材上にアルミナ水和物層を設ける手段は、例えば、アルミナ水和物にバインダーを加えてスラリー状とし、ロールコーター、エアナイフコーター、ブレードコーター、ロッドコーター、バーコーター、コンマコーターなどを用いて塗布し、乾燥する方法を採用することができる。」（【００１１】）
（5c）「バインダーとしては、でんぷんやその変性物、ポリビニルアルコールおよびその変性物、ＳＢＲラテックス、ＮＢＲラテックス、カルボキシメチルセルロース、ヒドロキシメチルセルロース、ポリビニルピロリドン等の有機物を用いることができる。バインダーの使用量は、アルミナ水和物の５〜50重量％程度を採用するのが好ましい。バインダーの使用量が、５重量％未満の場合は、アルミナ水和物層の強度が不十分になるおそれがあり、逆に50重量％未満を超える場合は、色素の吸着性が不十分になるおそれがあるのでそれぞれ好ましくない。」（【００１２】）
　
ＶI．対比・判断
１．理由１及び理由２−１について
　申立人　東谷満は、平成１１年１２月１０日付けで出願人が行った特許請求の範囲の補正は、願書に添付した明細書の範囲を逸脱するので、発明の要旨を変更するものと認められるから、該補正を含む出願は、平成５年改正前の特許法第４０条の規定により、その出願日は手続補正書の提出日とみなされるとしたうえで、本件発明１〜３が、甲第５号証（本件の公開公報）に記載された発明である（理由１）、あるいは、甲第５号証に記載された発明に基づいて当業者が容易に発明をすることができたものである（理由２−１）旨主張している。
　以下に検討する。
　申立人は、上記補正が、発明の要旨を変更するとする根拠として、段落番号００１２に記載されている「アルミナ水和物に対してバインダーが５〜５０％含有される」点は、塗布液についての記載であり、また、液浸透性の高い紙に塗布液を塗布した場合、塗布液中のバインダーは、紙に浸透してしまい、塗布液と塗布乾燥したものとでは、アルミナ水和物とバインダーの比率が同一にならない点をあげている。
　それに対して、上記訂正請求により、基材はプラスチック基材に特定された。すなわち、プラスチック基材は液浸透性が乏しく、プラスチック基材に塗布液を塗布する場合、塗布液と塗布層とで、その組成の比率（アルミナ水和物とバインダーの比率）が大きくは変わらないことが明らかとなった。
　したがって、本件発明１〜３が、発明の要旨を変更するものであるとすることはできなくなり、上記補正が発明の要旨を変更するものであり、その出願日は手続補正書を提出した日（平成１１年１２月１０日）として取り扱われることを前提とする、上記申立人の主張は採用することはできず、本件発明１〜３が、甲第５号証に記載された発明であるとも、甲第５号証に記載された発明に基づいて当業者が容易に発明をすることができたものであるとすることはできない。
　
２．理由２−２について
２−１．請求項１に係る発明について
　本件は、基材にプラスチックシートを使用したときに発生する、帯電に起因する搬送トラブル及び搬送ローラ等から付着する油によるべとつき、汚れ等の問題点を解決するためのもの（段落番号０００４等参照）であって、請求項１に係る発明（以下、「本件発明１」という。）は、基材の色素吸着層を設けた面の反対側に、特定の多孔性アルミナ水和物層を設けるものである。
　これに対して、甲第１号証に記載された発明は、印字・印刷特性、すなわち、優れた走行性、セット性および、バランスの取れた親水性及び親油性を有する印刷印字用プラスティックフィルムを提供することを目的として（上記(1c)参照）、プラスティックフィルムの基材面に無機コロイダル粒子を有する多孔性無機有機複合層が形成されるものであり、また、発明の詳細な説明中には、多孔性無機有機複合層を両面に設けること（上記(1f)参照）も記載されている。
　ここで、本件発明１と甲第１号証に記載された、両面に「多孔質無機有機複合層」を設けた（以下、一方を「多孔質無機有機(表面)複合層」、他方を「多孔質無機有機(裏面)複合層」という。）発明とを対比すると、甲第１号証の「プラスチックフィルムの基材」、「表面処理プラスチックフィルム」、「多孔質無機有機(表面)複合層」及び「多孔質無機有機(裏面)複合層」は、それぞれ、本件発明の「プラスチック基材」、「記録用シート」、「色素吸着層」、「多孔性水和物層」に対応するから、両者は、「基材上に色素吸着層（多孔質無機有機(表面)複合層）及び反対側に、多孔性水和物層（多孔質無機有機(裏面)複合層）を設けた記録用シート（表面処理プラスチックフィルム）」の点で一致し、次の（Ａ）〜（Ｃ）点で相違している。
（Ａ）本件発明１は、「多孔性水和物層」のバインダイーとして、「ポリビニルアルコール」に特定しているのに対し、甲第１号証に記載された発明は、「多孔質無機有機(裏面)複合層」の有機成分（本件の「バインダー」に相当する）に、原料モノマーを用いたエマルジョン塗料を用いており、「ポリビニルアルコール」を用いることについての記載はない点。
（Ｂ）本件発明１は、「多孔性水和物層」の「水和物」として、「アルミナ水和物」に特定しているのに対し、甲第１号証に記載された発明は、「無機コロイダル粒子」としている点。
（Ｃ）本件発明１は、上記Ａの「ポリビニルアルコール」の使用量を、「アルミナ水和物に対して５〜５０重量％」としているのに対し、甲第１号証に記載された発明は、「有機成分」（本件のバインダー相当するものと考えられる）として、「有機成分１００重量部に対してコロイダル粒子（コロイダルシリカを用いた場合）０．１〜５００重量部、好ましくは１〜２００重量部」としている点。
　
　以下に相違点について検討する。
（相違点Ａについて）
　甲第１号証における、多孔質無機有機複合層の形成は、無機コロイダル粒子に原料モノマー及び重合開始剤を含有するエマルジョン塗料を使用し、得られた重合物をプラスチックフィルムに塗布するもので、また、原料モノマーの少なくとも１種が、無機有機複合層生成時に無機コロイダル粒子表面の官能基と架橋結合して得られたもの（上記(1a)、(1d)、(1h)参照）であり、それによって、甲第１号証中に記載された、「印刷時の走行性が良く、しかもインクのセット性及び乾燥性が良い」（上記(1c)、(1i)参照）等の作用効果を奏することは、当業者が容易に理解できるものである。
　そうすると、無機コロイダル粒子表面の官能基と架橋結合する、原料モノマーを用いるエマルジョン塗料に代えて、無機コロイダル粒子表面の官能基と架橋結合することのないバインダーを用いた場合にも、甲第１号証に記載されたのと同様の作用効果を奏するとは、通常考えるものではなく、甲第１号証の記載から、無機コロイダル粒子表面の官能基と架橋結合することのないバインダー、特に「ポリビニルアルコール」を選択してを用いることに、当業者が容易に想到するとすることはできない。
　そして、本件発明は、バインダーとして、「ポリビニルアルコール」を選択して用いることにより、本件明細書に記載の、画像品質及び乾燥性などのインクジェット記録特性に優れると共に、透明性及び各種のペンによる筆記性も良好であるという、甲第１号証の記載からは、容易に予期し得ない作用効果を奏するものである。
　一方、甲第２号証（翻訳文である甲第３号証参照）には、本件の色素吸着層に相当するインキ吸収剤層のインキ吸収剤として、擬ベーマイトが使用されることが記載されているが、インキ吸収剤層を設けた面の反対側に設ける層についての記載はないし、また、甲第４号証には、「超微粉水和アルミナ及びその製造方法」（発明の名称）に関し、「超微粉アルミナを、各種の紙の填剤として配合し、或いはコート層として施こすと、帯電防止性を付与することができる」旨の記載はあるが、記録用シートの、色素の吸着層を設けた面の反対側に設けた層に用いること、およびそれによる作用効果についての記載はない。
　したがって、上記相違点（Ｂ）、（Ｃ）を検討するまでもなく、本件発明１は、その発明の属する技術の分野における通常の知識を有する者が、甲第１、２、４号証に記載された発明に基づいて容易に発明をすることができたものであるとすることはできない。
　
２−２．請求項２に係る発明について
　請求項２に係る発明は、請求項１に係る発明を全て引用して記載し、更に「色素吸着層が、多孔性アルミナ水和物である」と限定するものであるから、上記のとおり、請求項１に係る発明は、その発明の属する技術の分野における通常の知識を有する者が、甲第１、２、４号証に記載された発明に基づいて容易に発明をすることができたものであるとすることができない以上、同様の理由により、本件請求項２に係る発明は、その発明の属する技術の分野における通常の知識を有する者が、甲第１、２、４号証に記載された発明に基づいて容易に発明をすることができたものであるとすることはできない。
　
２−３．請求項３に係る発明について
　請求項３に係る発明は、請求項１または２に係る発明の記録シートを全て引用して記載し、更に、「色素吸着層に、色素が吸着された記録物」とするものであるから、上記のとおり、請求項１あるいは請求項２に係る発明は、その発明の属する技術の分野における通常の知識を有する者が、甲第１、２、４号証に記載された発明に基づいて容易に発明をすることができたものであるとすることができない以上、同様の理由により、本件請求項３に係る発明は、その発明の属する技術の分野における通常の知識を有する者が、甲第１、２、４号証に記載された発明に基づいて容易に発明をすることができたものであるとすることはできない。
　
３．理由３について
　特許異議申立人が、明細書の記載が不備であるとする具体的な理由は、本件特許発明は、基材にプラスチックシートを使用したときに発生する問題点を解決するためのものである（段落番号０００４参照）から、基材をプラスチックシートに限定されるべきである、というものであるが、上記の訂正請求により、特許異議申立人の主張通り、基材は、プラスチック基材に限定されたから、本件明細書の記載が不備であるとする理由はなくなった。
　
ＶII．むすび
　以上のとおりであるから、特許異議申立の理由及び証拠によっては、本件請求項１ないし３に係る発明の特許を取り消すことはできない。
　また、他に本件請求項１ないし３に係る特許を取り消すべき理由を発見しない。
　したがって、本件請求項１ないし３に係る発明の特許は、拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１１月１日（２００２．１１．１）
【訂正の要旨】
訂正の要旨
　特許第３１４４８２２号の明細書を、以下のとおり訂正する。
訂正事項ａ
　特許請求の範囲の請求項１中の、「基材上に」との記載を、特許請求の範囲の減縮を目的として、「プラスチック基材上に」と訂正する。
訂正事項ｂ
　特許請求の範囲の請求項１中の、「バインダー」との記載を、特許請求の範囲の減縮を目的として、「ポリビニルアルコールからなるバインダー」と訂正する。
訂正事項ｃ
　明細書の段落番号０００６中の、「基材上に」及び「バインダー」との記載を、明りょうでない記載の釈明を目的として、それぞれ、「プラスチック基材上に」及び「ポリビニルアルコールからなるバインダー」と訂正する。
訂正事項ｄ
　明細書の段落番号００１２中の、「バインダーとしては、でんぷんやその変性物、ポリビニルアルコールおよびその変性物、ＳＢＲラテックス、ＮＢＲラテックス、カルボキシメチルセルロース、ヒドロキシメチルセルロース、ポリビニルピロリドン等の有機物を用いることができる。バインダーの使用量は、」との記載を、明りょうでない記載の釈明を目的として、「バインダーとしては、ポリビニルアルコールを用いることができる。ポリビニルアルコールの使用量は、」と訂正する。
訂正事項ｅ
　明細書の段落番号００１３中の、「本発明において、基材としては特に限定されず、種々のものを使用することができる。具体的には、ポリエチレンテレフタレート、ポリエステルジアセテート等のポリエステル系樹脂、ポリカーボネート系樹脂、ＥＴＦＥ等のフッ素系樹脂など種々のプラスチックあるいは紙類を好ましく使用することができる。」との記載を、明りょうでない記載の釈明を目的として、「本発明において、プラスチック基材としては特に限定されず、種々のものを使用することができる。具体的には、ポリエチレンテレフタレート、ポリエステルジアセテート等のポリエステル系樹脂、ポリカーボネート系樹脂、ＥＴＦＥ等のフッ素系樹脂など種々のプラスチックを好ましく使用することができる。」と訂正する。
（５４）【発明の名称】
記録用シートおよび記録物
（５７）【特許請求の範囲】
　【請求項１】
　
プラスチック
ポリビニルアルコールからなる
　【請求項２】
　色素吸着層が多孔性アルミナ水和物である、請求項１記載の記録用シート。
　【請求項３】
　請求項１または請求項２記載の記録用シートの、色素吸着層に、色素が吸着された記録物。
【発明の詳細な説明】
　【０００１】
　【産業上の利用分野】
　本発明は、記録用シートおよび記録物に関するものである。
　【０００２】
　【従来の技術】
　近年、会議等では従来のスライドに代わり、オーバーヘッドプロジェクター（以下ＯＨＰという。）が使用されることが多くなっている。このような場合、透明な記録シートに、手書きしたり、静電転写方式、インクジェット方式等のプリンターを用いて画像を形成する。
　【０００３】
　従来ＯＨＰ記録シートとして、ポリエチレンテレフタレートなどのプラスチックシート、あるいは、これの表面に色素を吸着しやすい加工を施したものが用いられている。
　【０００４】
　【発明が解決しようとする課題】
　これらのＯＨＰ記録シートは、基材にプラスチックのシートを使用しているため、帯電しやすく、機械による記録シートの自動送りの際にしばしば機械に巻き込まれてしまう。さらに、搬送ローラーや加熱ローラー等から付着する油のため、シートがべとついたり汚れたりすることがある。
　【０００５】
　本発明は、機械に適合し、色濃度が高く耐久性の高い記録物を得ることのできる記録シートを提供することを目的とする。
　【０００６】
　【課題を解決するための手段】
　本発明は、
プラスチック
ポリビニルアルコールからなる
　【０００７】
　本発明においては、色素吸着層を設けた面の反対側の多孔性アルミナ水和物層は、シートに適切な電気伝導性やオイルの吸収性を付与する。
　【０００８】
　色素吸着層を設けた面の反対側の多孔性アルミナ水和物としては、擬ベーマイト（ＡｌＯ（ＯＨ））が好ましい。多孔性アルミナ水和物層は、その細孔構造が実質的に半径が１０〜１００Åの細孔からなり、細孔容積が０．３〜１．０ｃｃ／ｇである場合は、十分な吸収性を有しかつ透明性もあるので好ましい。このとき、基材および色素の吸着層が透明であれば、記録シートも透明なものが得られる。
　【０００９】
　これらの物性に加え、アルミナ水和物層の平均細孔半径が、１５〜５０Åでありその平均細孔半径の±１０Åの半径を有する細孔の容積が全細孔容積の４５％以上である場合は、特に吸収性と透明性の両立の観点から好ましい。平均細孔半径が、１５〜３０Åでありその平均細孔半径の±１０Åの半径を有する細孔の容積が全細孔容積の５５％以上である場合はさらに好ましい。なお、本発明における細孔半径分布の測定は、窒素吸脱着法による。
　【００１０】
　色素吸着層を設けた面の反対側の、アルミナ水和物層の厚さは、各プリンター等の仕様によって適宜選択されるが、０．５〜５０μｍを採用するのが好ましい。アルミナ水和物層の厚さが０．５μｍに満たない場合は、本発明の効果が十分発現しないおそれがあり、５０μｍを超える場合は、アルミナ水和物層の透明性が損なわれたり層の強度が低下するおそれがあるので、それぞれ好ましくない。
　【００１１】
　基材上にアルミナ水和物層を設ける手段は、例えば、アルミナ水和物にバインダーを加えてスラリー状とし、ロールコーター、エアナイフコーター、ブレードコーター、ロッドコーター、バーコーター、コンマコーターなどを用いて塗布し、乾燥する方法を採用することができる。
　【００１２】
　バインダーとしては
、ポ
ルを
る。ポリビニルアルコール
　【００１３】
　本発明において、
プラスチック
クを
　【００１４】
　本発明において、色素吸着層も多孔性アルミナ水和物が好ましい。特に、色素をよく吸収定着し、透明性が良好であることから、擬ベーマイト（ＡｌＯ（ＯＨ））が好ましい。
　【００１５】
　色素吸着層のアルミナ水和物層は、その細孔構造が実質的に半径が１０〜１００Åの細孔からなり、細孔容積が０．３〜１．０ｃｃ／ｇである場合は、十分な吸収性を有し、かつ、アルミナ水和物層も透明性があるので好ましい。これらの物性に加え、アルミナ水和物層の平均細孔半径が、１５〜５０Åでありその平均細孔半径の±１０Åの半径を有する細孔の容積が全細孔容積の４５％以上である場合は、特に定着性と透明性の両立の観点から好ましい。平均細孔半径が、１５〜３０Åでありその平均細孔半径の±１０Åの半径を有する細孔の容積が全細孔容積の５５％以上である場合はさらに好ましい。
　【００１６】
　色素吸着層の厚さは、各プリンター等の仕様によって適宜選択されるが、０．５〜５０μｍを採用するのが好ましい。色素吸着層の厚さが０．５μｍに満たない場合は、色素を十分吸着しないおそれがあり、５０μｍを超える場合は、色素吸着層の透明性が損なわれたり層の強度が低下するおそれがあるので、それぞれ好ましくない。
　【００１７】
　基材上に色素吸着を設ける手段は、裏面の場合と同様な方法が好ましく用いられる。
　【００１８】
　本発明の記録シートは、ＯＨＰ記録シートのように透明なものに好適に使用できる。それだけでなく、不透明なものでも本発明の効果を有する。また、透明基材を使用し、色素吸着層を設けた面の反対側に透明な多孔性アルミナ水和物層を設けた場合は、色素吸着層の画像を透明基材を通して観察することができる。
　【００１９】
　【実施例】
［実施例１］
　容量２０００ｃｃのガラス製反応器に、水９００ｇとイソプロピルアルコール６７６ｇを仕込み、マントルヒーターにより液温を７５℃に加熱した。攪はんしながらアルミニウムイソプロポキシド３０６ｇを添加し、液温を７５〜７８℃に保持しながら５時間加水分解をおこなった。その後９５℃に昇温し、酢酸９ｇを添加して４８時間、７５〜７８℃に保持して解膠した。さらにこの液を、９００ｇになるまで濃縮して、白色のゾルを得た。このゾルの乾燥物は擬ベーマイトであった。
　【００２０】
　このアルミナゾル５重量部（固形分）にポリビニルアルコール１重量部（固形分）を加えて、さらに水を加えて固形分約１０％のスラリーを調製した。このスラリーを、コロナ放電処理を施したポリエチレンテレフタレート（厚さ１００μｍ）からなるシート基材の上に、バーコーターを用いて乾燥時の層厚が１０μｍになるように塗布、乾燥した。次にこの反対面に、同様の方法で、上記アルミナゾルを、乾燥時の膜厚が５μｍになるように塗布、乾燥し、記録用シートを得た。基材上に得られたアルミナ水和物層の細孔特性は、いずれの面も、平均細孔半径が２０Åで、細孔半径１０〜３０Åの細孔容積が、全細孔容積の６０％であった。
　【００２１】
　上記の記録用シートについて、静電転写方式電子写真デジタル複写機（キヤノン社製ピクセルＤＩＯ）を用いて、赤、黄、青のベタ塗りパターンを印刷して評価を行った。このとき、複数の記録シートを連続して印刷し、印刷終了後の記録シートは重ね合わせて保持した。印刷終了後、記録用シートの印刷面の裏側について、それと重なっていた別の記録用シートのパターンが印刷された部分に接触していた部分を観察したところ、ベタつき感が全くなかった。また、印刷後記録用シートを重ね合わせたまま放置して、３時間後、重ね合わせた記録用シートを剥したところ、簡単に剥すことができた。印刷部分のベタつき感もなかった。
　【００２２】
　【発明の効果】
　本発明の、記録用シートは、帯電性が抑制され、機械への巻き込みを少なくすることができる。さらに、搬送ローラーや加熱ローラー等から付着する油をこの層が吸着するので、シートがべとついたり汚れたりすることがない。記録用シートを重ねておいたとき、記録用シートどうしが、剥れにくくなることもない。さらには、インクジェットプリンターのように、多量の溶媒を含むインクを使用する印刷方式の場合には、重ね合わせた部分で印刷面と反対側のアルミナ水和物層が溶媒を吸収するので、連続して印刷された記録用シートを直後に重ね合わせてもくっつかない。このため、機械で連続的に印刷した記録物が安定に得られる。